(57)【要約】【課題】異なる種類の複数の画像記録装置を用いて、トータル的に処理速度を向上することができ、処理効率を向上することができる画像記録システムを提供する。【解決手段】複数の画像記録装置３０１と、これらの画像記録装置３０１に共通に使用される記録媒体共通収容手段３０２と、動作中、又は、待機中を示す装置状態情報を保持する装置情報保持手段３０３と、画像記録要請を受けると、装置情報保持手段３０３が保持する装置状態情報に基づき、待機中の画像記録装置３０１を探して画像記録指示を行う画像記録指示手段３０４と、を備えると共に、少なくとも１台の画像記録装置３０１が画像記録処理中に画像記録要請を受け、画像記録指示手段３０４が待機中の画像記録装置３０１に画像記録指示を行ったときは、複数の画像記録処理が並行処理されるようにして、画像記録システムを構成する。【選択図】図１
2008090241.tif 000002
【特許請求の範囲】
【請求項１】
画像記録装置が複数台、並べて配置されると共に、前記画像記録装置に対して共通に使用される記録媒体共通収容手段が設けられ、前記画像記録装置により記録された記録媒体が、前記記録媒体共通収容手段に向かって排出されると共に、該記録媒体共通収容手段に収容される画像記録システムであって、
各前記画像記録装置に対して、該画像記録装置が画像記録処理を行っているときは動作中、画像記録処理の可能な状態で待機中であるときは待機中を示す装置状態情報を保持する装置情報保持手段と、
前記画像記録システムが画像記録要請を受けると、前記装置情報保持手段が保持する前記装置状態情報に基づき、待機中の前記画像記録装置を探して画像記録指示を行う画像記録指示手段と、を備えると共に、
少なくとも１台の前記画像記録装置が画像記録処理中に、前記画像記録システムが前記画像記録要請を受けると共に、前記画像記録指示手段が前記画像記録指示を行ったときは、該画像記録指示が行われた前記画像記録装置における画像記録処理と、前記画像記録処理中の前記画像記録装置における画像記録処理とは、並行処理されることを特徴とする画像記録システム。
【請求項２】
前記画像記録装置は、前後方向に一列に配置されると共に、前記記録媒体共通収容手段が前記列の先頭に配置され、
最後尾の前記画像記録装置を除いて、前記画像記録装置にバイパス搬送手段が備えられ、該バイパス搬送手段が備えられた前記画像記録装置の後方に配置されている前記画像記録装置により記録された記録媒体は、前記バイパス搬送手段を経由して前記記録媒体共通収容手段に向かって排出されると共に、該記録媒体共通収容手段に収容される請求項１記載の画像記録システム。
【請求項３】
前記バイパス搬送手段が備えられている前記画像記録装置の後方に配設されている前記画像記録装置から排出され、該バイパス搬送手段のバイパス搬送路により搬送される記録媒体が前記バイパス搬送手段から分岐して収容される記録媒体上部収容手段が、前記バイパス搬送手段の上方に備えられている請求項２記載の画像記録システム。
【請求項４】
前記記録媒体共通収容手段、前記記録媒体上部収容手段、又は、前記記録媒体共通収容手段及び前記記録媒体上部収容手段が、複数備えられていると共に、
前記並行処理される複数の画像記録装置から、それぞれ排出された記録媒体は、前記記録媒体共通収容手段、又は、前記記録媒体上部収容手段の中の異なるいずれかに、それぞれ混在されることなく収容される請求項１〜３のいずれか１項に記載の画像記録システム。
【請求項５】
前記装置情報保持手段は、各前記画像記録装置に対して、該画像記録装置の処理機能情報、該画像記録装置の処理能力情報、又は、前記処理機能情報及び前記処理能力情報、で構成される装置性能情報を、前記装置状態情報と共に保持しており、
前記画像記録システムが前記画像記録要請を当該画像記録要請の処理条件と共に受けることにより、前記画像記録指示手段は、前記装置情報保持手段が保持する前記装置性能情報に基づき、前記待機中の画像記録装置の中から、前記処理条件を満足する画像記録装置を選んで前記画像記録指示を行う請求項１〜４のいずれか１項に記載の画像記録システム。
【請求項６】
前記画像記録要請に付随される前記処理条件、及び、前記装置情報保持手段に保持される前記装置性能情報を構成している前記処理機能情報には、それぞれ、カラー画像記録、又は、モノクロ画像記録のいずれかを表す情報が含まれる請求項５記載の画像記録システム。
【請求項７】
前記装置情報保持手段に保持される前記装置性能情報を構成している前記処理能力情報には、画像記録装置の処理速度を表す情報が含まれると共に、
前記画像記録指示手段は、前記装置情報保持手段が保持する前記装置性能情報の前記処理能力情報に基づき、前記待機中の画像記録装置の中から、前記処理速度が最も速い画像記録装置を選んで前記画像記録指示を行う請求項５又は６記載の画像記録システム。
【発明の詳細な説明】
【技術分野】
【０００１】
本発明は、画像記録装置を複数台用いた画像記録システムに関するものである。
【背景技術】
【０００２】
今日、複写機やＦＡＸ、印刷装置等は、オフィスにおける事務処理に必要不可欠となっているが、これらの複写機やＦＡＸ、印刷装置等は、画像記録装置を基にして構成されている。最近では、これらの複写機やＦＡＸ、印刷装置等の機能を全て盛り込んだ複合機としての画像記録装置が注目されている。この画像記録装置は、基本機能として、シート状の記録用紙等の記録媒体に文字等や図等の画像を記録する機能を備えており、画像の記録としては、モノクロ画像の記録とカラー画像の記録とがある。
【０００３】
上記の画像記録装置に対しては、最近、事務処理量の増大により、画像記録装置の処理速度の向上が求められている。画像記録装置は、画像の記録を行う装置であるので、処理速度の向上は、即ち、記録媒体である記録用紙に記録して排出する速度の向上であり、単位時間当たりの記録用紙の記録、排出枚数の向上が要求されている。
【０００４】
このような要求を満足する方法としては、画像記録装置そのものの処理速度の向上を図る方法のほか、画像記録装置を複数台使用することで、トータル的に処理速度を向上する方法も考えられる。このような観点から上記の要求に応じるべく、様々な提案がなされている（例えば、特許文献１参照）。
【０００５】
特許文献１は、カラープリント装置に関するものであり、カラープリント装置を、複数台のカラー画像形成装置を用いて構成し、それぞれのカラー画像形成装置におけるプリントのプロセスを制御することによって、処理速度の向上を図っている。
【特許文献１】特開平８−３０５２２１
【発明の開示】
【発明が解決しようとする課題】
【０００６】
ところで、画像記録装置に対しては、一連の画像記録処理を行う一つの画像記録ジョブ、即ち、ページ単位毎に独立した画像をページ順に複数の記録用紙に連続して画像記録を行う一つの画像記録ジョブを、一度に一つ処理させるのが一般である。この点は、処理速度の向上を図るために、複数のカラー画像形成装置を用いて構成した上記の特許文献１記載のカラープリント装置においても、同様である。
【０００７】
即ち、上記のカラープリント装置では、一度に処理するのは一つの画像記録ジョブである。この一つの画像記録ジョブを、複数のカラー画像形成装置を用いて分散処理させることにより、処理速度の向上を図っている。このため、上記のカラープリント装置を構成する複数の画像形成装置は、同種の装置、即ち、カラー画像形成装置でなければならない。
【０００８】
しかしながら、複数の画像記録装置を用いて画像記録システムを構成するのであれば、一度に一つの画像記録ジョブを処理するのみならず、複数の画像記録ジョブを並行して処理可能とすることができると、トータル的に処理速度を向上することができるのみならず、更に、利便性を向上させることができる。又、使用する複数の画像記録装置として、カラー画像形成装置とモノクロ画像形成装置や、処理速度の異なる画像形成装置を用いる等、異なる種類のものを使用することができれば、一部の画像記録装置にコストが低い装置を使用することが可能となり、コストパフォーマンスを向上させることもできる。
【０００９】
そこでこの発明は、このような要求に応えるためになされたものであって、異なる種類の複数の画像記録装置を用いて、トータル的に処理速度を向上することができるのみならず、複数の画像記録ジョブを並行して処理可能とすることができ、処理効率を向上することができると共に、コストパフォーマンスにも優れた画像記録システムを提供しようとするものである。
【課題を解決するための手段】
【００１０】
図１は、本発明の画像記録システムの構成を示したブロック図である。図１において、本発明の画像記録システムは、画像記録装置３０１が複数台、並べて配置されると共に、画像記録装置３０１に対して共通に使用される記録媒体共通収容手段３０２が設けられ、画像記録装置３０１により記録された記録媒体が、記録媒体共通収容手段３０２に向かって排出されると共に、該記録媒体共通収容手段３０２に収容される画像記録システムである。
【００１１】
尚、本発明の画像記録システムで用いられる画像記録装置３０１とは、記録媒体収納部を備えると共にこの記録媒体収納部に収納された記録媒体を取出して画像記録を行い、記録済みの記録媒体を排出する装置を言う。この画像記録装置は、一般的には、記録済みの記録媒体を収容する記録媒体収容トレイや記録媒体収容装置等の記録媒体収容手段を備えているが、本発明の画像記録システムでは、このような記録媒体収容手段を備えていない状態の上記装置を、画像記録装置と称する。
【００１２】
上記の画像記録システムには、装置情報保持手段３０３と画像記録指示手段３０４とが備えられている。この内、装置情報保持手段３０３は、各画像記録装置３０１に対して、該画像記録装置３０１が画像記録処理を行っているときは動作中、画像記録処理の可能な状態で待機中であるときは待機中を示す装置状態情報を保持する機能を備えている。又、画像記録指示手段３０４は、画像記録システムが画像記録要請を受けると、装置情報保持手段３０３が保持する装置状態情報に基づき、待機中の画像記録装置３０１を探して画像記録指示を行う機能を備えている。
【００１３】
この画像記録システムでは、少なくとも１台の画像記録装置３０１が画像記録処理中に、画像記録システムが画像記録要請を受けると共に、画像記録指示手段３０４が画像記録指示を行ったときは、該画像記録指示が行われた画像記録装置３０１における画像記録処理と、画像記録処理中の画像記録装置３０１における画像記録処理とは、並行処理されることを特徴としている。
【００１４】
上記の画像記録システムによれば、この画像記録システムを構成する複数の画像記録装置を用いて、複数の画像記録処理を並行処理することができる。従って、トータル的に処理速度を向上することができ、処理効率を向上することができる。又、複数の画像記録装置として、異なる種類の複数の画像記録装置を用いることにより、コストパフォーマンスを向上することができる。
【００１５】
上記の画像記録システムとして、具体的に、次のように構成するのが好適である。即ち、画像記録装置を、前後方向に一列に配置すると共に、記録媒体共通収容手段を列の先頭に配置する。そして、最後尾の画像記録装置を除いて、画像記録装置にバイパス搬送手段を備えると共に、該バイパス搬送手段が備えられた画像記録装置の後方に配置されている画像記録装置により記録された記録媒体が、バイパス搬送手段を経由して記録媒体共通収容手段に向かって排出されると共に、該記録媒体共通収容手段に収容されるようにするのである。
【００１６】
上記の画像記録システムの場合に、バイパス搬送手段が備えられている画像記録装置の後方に配設されている画像記録装置から排出され、該バイパス搬送手段のバイパス搬送路により搬送される記録媒体がバイパス搬送手段から分岐して収容される記録媒体上部収容手段を、バイパス搬送手段の上方に備えるようにしてもよい。
【００１７】
又、上記の画像記録システムにおいて、記録媒体共通収容手段、記録媒体上部収容手段、又は、記録媒体共通収容手段及び記録媒体上部収容手段を、複数備えるようにすると共に、並行処理される複数の画像記録装置から、それぞれ排出された記録媒体は、記録媒体共通収容手段、又は、記録媒体上部収容手段の中の異なるいずれかに、それぞれ混在されることなく収容されるようにするのが、好適である。
【００１８】
このようにすることにより、画像記録ジョブ毎に、異なる記録媒体収容手段に記録済の記録媒体を隔離して収容することができ、画像記録ジョブ間で記録媒体が混在するのを防止することができる。
【００１９】
又、上記の画像記録システムにおいて、この画像記録システムを構成する画像記録装置の画像記録処理を、次のように行わせるのが好適である。即ち、装置情報保持手段は、各画像記録装置に対して、該画像記録装置の処理機能情報、該画像記録装置の処理能力情報、又は、処理機能情報及び処理能力情報、で構成される装置性能情報を、装置状態情報と共に保持するようにする。
【００２０】
そして、画像記録システムが画像記録要請を当該画像記録要請の処理条件と共に受けることにより、画像記録指示手段は、装置情報保持手段が保持する装置性能情報に基づき、待機中の画像記録装置の中から、処理条件を満足する画像記録装置を選んで画像記録指示を行うようにするのである。
【００２１】
このようにすることにより、画像記録システムが受けた画像記録要請に対して、当該画像記録システムにおける最適な画像記録処理を行うことができる。
【００２２】
上記の画像記録要請に付随される処理条件、及び、装置情報保持手段に保持される装置性能情報を構成する処理機能情報には、それぞれ、カラー画像記録、又は、モノクロ画像記録のいずれかを表す情報を含むようにするのが好適である。
【００２３】
又、上記の装置情報保持手段に保持される装置性能情報を構成している処理能力情報には、画像記録装置の処理速度を表す情報を含むようにしてもよい。この場合は、画像記録指示手段が、装置情報保持手段が保持する装置性能情報の装置能力情報に基づき、待機中の画像記録装置の中から、処理速度が最も速い画像記録装置を選んで画像記録指示を行うようにするのが好適である。
【００２４】
このようにすることにより、画像記録システムが受けた画像記録要請に対して、当該画像記録システムにおける処理速度が最も速い画像記録処理を行うことができ、処理効率を向上することができる。
【発明の効果】
【００２５】
本発明の画像記録システムによれば、この画像記録システムを構成する複数の画像記録装置を用いて、複数の画像記録処理を並行処理することができる。従って、トータル的に処理速度を向上することができ、処理効率を向上することができる。又、複数の画像記録装置として、異なる種類の複数の画像記録装置を用いることにより、コストパフォーマンスを向上することができる。
【００２６】
又、本発明の画像記録システムに、記録媒体共通収容手段や記録媒体上部収容手段を複数備えることにより、画像記録ジョブ毎に、記録済の記録媒体を隔離して収容することができ、画像記録ジョブ間で記録媒体が混在することを防止することができる。
【００２７】
又、本発明の画像記録システムの情報保持手段に、カラー画像記録、又は、モノクロ画像記録のいずれかを表す情報等の処理機能情報や処理能力情報で構成される装置性能情報を備えると共に、画像記録システムが画像記録要請を当該画像記録要請の処理条件と共に受けることにより、待機中の画像記録装置の中から、処理条件を満足する画像記録装置を選んで画像記録処理をすることができる。従って、画像記録システムが受けた画像記録要請に対して、当該画像記録システムにおける最適な画像記録処理を行うことができる。
【００２８】
又、上記の装置情報保持手段が備える処理機能情報に、画像記録装置の処理速度を表す情報を含むことにより、待機中の画像記録装置の中から、処理速度が最も速い画像記録装置を選んで画像記録処理をすることができる。従って、画像記録システムが受けた画像記録要請に対して、当該画像記録システムにおける処理速度が最も速い画像記録処理を行うことができ、処理効率を向上することができる。
【発明を実施するための最良の形態】
【００２９】
以下、本発明の実施の形態における画像記録システムについて、図面を参照しながら詳しく説明する。本実施の形態における第１画像記録システムは、複写機や印刷装置が備える機能を全て備えた一種の複合システムであり、画像記録装置としては、２台のカラー画像記録装置と２台のモノクロ画像記録装置の、合計４台の画像記録装置で構成される画像記録システムである。この第１画像記録システムの説明に先立ち、１台のカラー画像記録装置と１台のモノクロ画像記録装置の、合計２台の画像記録装置で構成される第２画像記録システムの構成と動作について説明し、その後、上記の第１画像記録システムについて説明する。
【００３０】
＜第２画像記録システムの全体構成＞
図２は、第２画像記録システムの全体の構成を示した構成図である。図２において、第２画像記録システムは、カラー画像記録装置１、モノクロ画像記録装置２、最終処理装置３、カラー画像読取装置４、及び、バイパス搬送装置５で構成されている。この内、バイパス搬送装置５は、側面視カタカナの「コ」字を９０度左に回転させたような形の筐体を有しており、カラー画像記録装置１に覆い被さるようにして取付られている。又、カラー画像読取装置４は、モノクロ画像記録装置２の上に装着されている。そして、前方(図２の左側)から後方(図２の右側)にかけて一列に、最終処理装置３を先頭にして、バイパス搬送装置５を装着したカラー画像記録装置１、及び、カラー画像読取装置４を装着したモノクロ画像記録装置２が直列に結合されている。
【００３１】
又、この第２画像記録システムで使用されるカラー画像記録装置１の処理速度は、約７０枚／分程度であるのに対して、モノクロ画像記録装置２の処理速度は、約１１０枚／分程度である。従って、この第２画像記録システムでは、前後に配置された２台の画像記録装置であるカラー画像記録装置１とモノクロ画像記録装置２は、処理速度が遅いカラー画像記録装置１が前に配置され、処理速度が速いモノクロ画像記録装置２が後に配設されている。
【００３２】
又、この第２画像記録システムで使用される上記の各装置は、図３及び図４に示すように、キャビネット１００に収容されている。このキャビネット１００の後端面には観音開の後面扉１０１が、又、バイパス搬送路装置５の後端部の両側面側には片開の側面後扉１０２が、又、バイパス搬送路装置５の前端部の両側面側には片開の側面前扉１０３が、それぞれ設けられており、後述するように、保守作業等の際に使用される。
【００３３】
尚、この第２画像記録システムでは、バイパス搬送装置５が前述のバイパス搬送手段に相当し、最終処理装置３が前述の記録媒体共通収容手段に相当する。又、カラー画像読取装置４は、カラー画像の読取を行う装置であり、画像記録には直接関与しないので、カラー画像読取装置４としては一般的なカラースキャナが用いられていることを述べるに留め、カラー画像読取装置４の構成に関する説明は省略する。以下、これらの各装置について説明する。
【００３４】
＜カラー画像記録装置＞
まず、カラー画像記録装置１について説明する。図５は、このカラー画像記録装置１の構成を示した構成である。図５において、カラー画像記録装置１は、４組の画像形成ユニット１０ＢＫ、１０Ｃ、１０Ｍ、１０Ｙと、中間転写ユニット２０、転写定着ユニット３０、第１記録用紙収納トレイ４１、第２記録用紙収納トレイ４２、第３記録用紙収納トレイ４３、第４記録用紙収納トレイ４４、水平供給搬送路５１、水平排出搬送路５２、第１垂直搬送路５３、第２垂直搬送路５４、第３垂直搬送路５５、及び、水平帰還搬送路５６で構成されている。
【００３５】
ところで、カラー画像記録装置１は、カラー画像を記録媒体である記録用紙Ｐに記録する方法として、タンデム式を採用している。このタンデム式は、半導電性の無端ベルトを回転自在に設け、互いに異なる色相の可視化像を個別に形成する複数の画像形成部を、無端ベルトの外周面の移動方向に沿って一列に配置し、無端ベルトが少なくとも１回転する間に１枚のカラー画像を形成する方式である。
【００３６】
上記のタンデム式には、従来から、各画像形成部で形成された各色相の可視化像を、無端ベルトの外周面において重ね合わせた後に、記録用紙Ｐ上に転写する中間転写方式と、無端ベルトの外周面に吸着して搬送される記録用紙の表面に、各画像形成部で形成された各色相の可視化像を順次転写する転写搬送方式とが存在する。
【００３７】
ところが、上記のタンデム式において、最近、上記の中間転写方式や転写搬送方式とは異なる新たな方式が開発されており、上記のカラー画像記録装置１においても、この新たな方式が採用されている。この新たな方式のタンデム式は、上述したカラー画像記録装置１を構成する構成要素の内、４組の画像形成ユニット１０ＢＫ、１０Ｃ、１０Ｍ、１０Ｙ、中間転写ユニット２０、及び、転写定着ユニット３０により構成されている。図６は、この新たな方式のタンデム式の構成を示した構成図である。
【００３８】
図６において、画像形成ユニット１０Ｙ、１０Ｍ、１０Ｃ、１０ＢＫは、それぞれ、感光体ドラム１１の周囲に帯電ローラ１２、レーザー光照射手段１３、現像器１４、クリーナー１６を配置しており、これらの各ユニットの現像器にはイエロー（Ｙ）、マゼンタ（Ｍ）、シアン（Ｃ）、ブラック（Ｂｋ）の各色トナーＴが収容されている。
【００３９】
中間転写ユニット２０は、中間転写ベルト２１、中間転写ベルト駆動ローラ２２、中間転写ベルトテンションローラ２３、感光体ドラム１１と中間転写ベルト２１間に電界を与えて感光体ドラム１１から中間転写ベルト２１上にトナーＴを電界転写するための１次転写ローラ２４、中間転写ベルト２１上の転写残留トナーＴをクリーニングするための中間転写ベルトクリーニングユニット２５、中間転写ベルト２１から転写定着ローラ３１へトナーＴを転写するための２次転写バックアップローラ２６等から構成されている。この内、中間転写ベルト２１は、中間転写ベルト駆動ローラ２２と中間転写ベルトテンションローラ２３に懸架され、図示されていない駆動手段と中間転写ベルト駆動ローラ２２により、矢印の方向に回転駆動される。
【００４０】
転写定着ユニット３０は、転写定着ローラ３１、この転写定着ローラ３１を加熱するための内部熱源である加熱ランプ３６、加圧ローラ３２、及び、温度検知部材３４等からなる。更に、これらに追加して、転写定着ローラ３１上で加熱溶融されたトナーＴを転写定着ローラ３１上で圧熱する圧熱ローラ３３、この圧熱ローラ３３を内部より加熱するための熱源である加熱ランプ３７及び、圧熱ローラ３３の温度検知を行うための温度検知部材３５等が設けられている。又、記録用紙Ｐが、図示しない用紙搬送部材により、転写定着ローラ３１と加圧ローラ（加圧部材）３２との接触部分である転写定着ニップまで搬送される。
【００４１】
上記の転写定着ユニット３０に使用されている転写定着ローラ３１は、転写定着ローラ上でトナーＴを加熱溶融するために、その内部に加熱源の加熱ランプ３６を有しており、転写定着ローラ３１はその表面温度が１２０℃〜１８０℃程度の範囲で一定温度に加熱制御される。この温度は、トナー材料やプロセス速度、転写定着ローラ３１と加圧ローラ３２との接触部分である転写定着ニップのニップ幅やその荷重条件等により最適な値に設定される。
【００４２】
このような構成を有する上記の新たな方式のタンデム式カラー画像記録装置では、まず、１次転写ローラ２４を用いて、感光体ドラム１１から中間転写ベルト２１上に可視化像を転写する。そして、この中間転写ベルト２１に転写された可視化像を更に転写定着ローラ３１へ転写した後、この転写定着ローラ３１に転写された可視化像を記録用紙Ｐに転写すると共に定着させることを特徴としている。即ち、上記の新たな方式のタンデム式では、記録用紙Ｐに可視化像を転写すると同時に定着させているので、従来用いられていた定着部を必要としない。そのため、定着部の設置スペースを削減することができる利点がある。
【００４３】
しかしながら、上記の新たな方式のタンデム式カラー画像記録装置では、転写定着ユニット３０の転写定着ローラ３１は、上述したように、転写定着ローラ上でトナーＴを加熱溶融するために、その表面温度が２０℃〜１８０℃程度の範囲で一定温度に加熱制御されている。そこで、この加熱された中間転写ベルト２１が画像形成ユニット１０Ｙの位置へ移動して、この中間転写ベルト２１の熱により、画像形成ユニット１０Ｙの感光体ドラム１１に付着されているトナーＴを溶融する等の悪影響を及ぼす恐れがある。
【００４４】
そこで、中間転写ベルト２１の熱が画像形成ユニット１０Ｙに悪影響を及ぼさないようにするために、転写定着ローラ３１を通過した中間転写ベルト２１が画像形成ユニット１０Ｙの位置へ移動するまでに、中間転写ベルト２１を放熱させる必要がある。そのため、上記の新たな方式のタンデム式では、図６に示すように、中間転写ベルト２１における、転写定着ユニット３０の転写定着ローラ３１から、一番手前にある画像形成ユニット１０Ｙまでのベルトの移動距離が可能な限り長くなるような位置に、転写定着ユニット３０の転写定着ローラ３１を配置している。
【００４５】
即ち、前方に配置された中間転写ベルトテンションローラ２３と後方に配置された中間転写ベルト駆動ローラ２２とに張設された中間転写ベルト２１の上側に、前方から後方にかけて、画像形成ユニット１０Ｙ、画像形成ユニット１０Ｍ、画像形成ユニット１０Ｃ、及び、画像形成ユニット１０ＢＫが配置されており、これらの画像形成ユニットの配置に対して、中間転写ベルト２１の下側の前方寄りに、転写定着ユニット３０を配置することにより、転写定着ローラ３１から、一番手前の画像形成ユニット１０Ｙまでの中間転写ベルト２１の移動距離が、機構上、可能な範囲で最も長くなるようにしている。
【００４６】
上記のカラー画像記録装置１において、記録用紙Ｐを収納用する記録用紙収納トレイの構成及び配置は、次のようになされている。中間転写ユニット２０は、上述したように、前方に配置された中間転写ベルトテンションローラ２３と後方に配置された中間転写ベルト駆動ローラ２２とに張設されて配置されているが、第１記録用紙収納トレイ４１と第２記録用紙収納トレイ４２とは、この中間転写ユニット２０の下方に、前後に水平に配置されている。
【００４７】
又、第１記録用紙収納トレイ４１及び第２記録用紙収納トレイ４２と、中間転写ユニット２０との間には、転写定着ユニット３０が、前方寄りに、即ち、第１記録用紙収納トレイ４１の上方に配置されている。そして、第１記録用紙収納トレイ４１及び第２記録用紙収納トレイ４２の下方に、第３記録用紙収納トレイ４３が配置され、この第３記録用紙収納トレイ４３の下方に、第４記録用紙収納トレイ４４が配置されている。
【００４８】
この内、第１記録用紙収納トレイ４１と第２記録用紙収納トレイ４２とは、構造及び大きさが同じであり、第３記録用紙収納トレイ４３と第４記録用紙収納トレイ４４とは、構造及び大きさが同じである。又、第３記録用紙収納トレイ４３及び第４記録用紙収納トレイ４４の前後方向の長さは、第１記録用紙収納トレイ４１の前端部から第２記録用紙収納トレイ４２の後端部までの長さと略等しくなっている。又、上記の各記録用紙収納トレイ４１，４２，４３，４４の幅は、全て同じである。又、上記の各記録用紙収納トレイ４１，４２，４３，４４は、カラー画像記録装置１の側面（図２では、手前側の面）から、カラー画像記録装置１の内部に着脱することができる。
【００４９】
上記の第１記録用紙収納トレイ４１及び第２記録用紙収納トレイ４２は、Ａ４及びＡ４よりも小さいサイズの記録用紙Ｐを収納する記録用紙収納トレイであり、第３記録用紙収納トレイ４３及び第４記録用紙収納トレイ４４は、最大がＡ３サイズまでの記録用紙Ｐを収納する記録用紙収納トレイである。又、上記の各記録用紙収納トレイ４１，４２，４３，４４には、収納されている記録用紙Ｐの有無を検知する記録用紙検知センサが、それぞれ備えられている。
【００５０】
又、上記の第１記録用紙収納トレイ４１、第２記録用紙収納トレイ４２、第３記録用紙収納トレイ４３、及び、第４記録用紙収納トレイ４４の後部の上端には、記録用紙Ｐをトレイの内部から外へ搬出するための搬出口路として、それぞれ、第１搬出口路４１ａ、第２搬出口路４２ａ、第３搬出口路４３ａ、及び、第４搬出口路４４ａが設けられている。これらの各搬出口路４１ａ，４２ａ，４３ａ，４４ａには、記録用紙搬出用のローラが備えられており、各用紙収納トレイから記録用紙Ｐを搬出する際には、図示されていない駆動手段によりこれらの記録用紙搬出用のローラが駆動されて、記録用紙Ｐが搬出される。
【００５１】
上記のカラー画像記録装置１において、記録用紙Ｐを搬送する搬送路は、次のように構成されている。即ち、記録用紙Ｐへの文字や図形の記録は、転写定着ユニット３０の転写定着ローラ３１と加圧ローラ３２とが接触して形成される転写定着ニップで行われるので、この転写定着ニップへ記録用紙Ｐを搬送する必要がある。そのため、この転写定着ニップへ記録用紙Ｐを搬送して供給する水平供給搬送路５１は、転写定着ユニット３０の転写定着ニップから後方に向かって水平に延びるように形成されている。又、転写定着ニップから記録用紙Ｐを搬送して排出する水平排出搬送路５２は、転写定着ユニット３０の転写定着ニップから前方に向かって水平に延びるように形成されており、この水平排出搬送路５２の前端部が、記録媒体排出口５７である。この記録媒体排出口５７は、前述の装置排出口に相当する。又、この水平排出搬送路５２は、記録媒体排出口５７で後述するバイパス搬送装置５の前部記録用紙受入口７０ｂに接続され、この部分を介して同じく後述する最終処理装置３に接続される。
【００５２】
又、第１垂直搬送路５３は、第１記録用紙収納トレイ４１と第２記録用紙収納トレイ４２との間から上方に向かって形成されており、この第１垂直搬送路５３の上端部は、水平供給搬送路５１の途中部に接続されている。又、第２垂直搬送路５４は、第２記録用紙収納トレイ４２の後方から上方に向かって形成されており、この第２垂直搬送路５４の上端部は、水平供給搬送路５１の後端部に接続されている。これらの各搬送路は、後述するように、各記録用紙収納トレイ４１，４２，４３，４４から、記録用紙Ｐを転写定着ユニット３０へ供給したり、供給された記録用紙Ｐを排出したりするのに用いられる。
【００５３】
そのため、上記の第１垂直搬送路５３には、第１記録用紙収納トレイ４１の第１搬出口路４１ａが接続されており、第２垂直搬送路５４には、第２記録用紙収納トレイ４２の第２搬出口路４２ａ、第３記録用紙収納トレイ４３の第３搬出口路４３ａ、及び、第４記録用紙収納トレイ４４の第４搬出口路４４ａが接続されている。
【００５４】
又、第３垂直搬送路５５は、水平排出搬送路５２から分岐して下方に向かって第１記録用紙収納トレイ４１及び第３記録用紙収納トレイ４３の前方に形成されている。この第３垂直搬送路５５が水平排出搬送路５２から分岐する部分には、搬送路切替レバー５８が設けられている。又、水平帰還搬送路５６は、第１記録用紙収納トレイ４１と転写定着ユニット３０との間に、上記の第３垂直搬送路５５の上部から分岐して後方に向かって水平に形成されており、この水平帰還搬送路５６の後端は、第１垂直搬送路５３の途中部に接続されている。この水平帰還搬送路５６が第３垂直搬送路５５から分岐する部分には、搬送路切替レバー５９が設けられている。これらの第３垂直搬送路５５及び水平帰還搬送路５６は、後述するように、記録用紙Ｐの両面に文字や図形等を記録できるようにするために、設けられている。
【００５５】
上述した水平供給搬送路５１、水平排出搬送路５２、第１垂直搬送路５３、第２垂直搬送路５４、第３垂直搬送路５５、及び、水平帰還搬送路５６には、図示されていない駆動手段により駆動されるローラやガイド（図示されていない）が備えられており、これらのローラやガイドにより、記録用紙Ｐが搬送される。
【００５６】
＜モノクロ画像記録装置＞
次に、モノクロ画像記録装置２について説明する。モノクロ画像記録装置２は、モノクロの文字や図形等を記録用紙Ｐに記録するものである。図７は、このモノクロ画像記録装置２の構成を示した構成である。図７において、モノクロ画像記録装置２は、モノクロ画像形成ユニット６０、定着ユニット６３、第１記録用紙収納トレイ１４１、第２記録用紙収納トレイ１４２、第３記録用紙収納トレイ１４３、第４記録用紙収納トレイ１４４、水平供給搬送路１５１、水平排出搬送路１５２、第１垂直搬送路１５３、第２垂直搬送路１５４、第３垂直搬送路１５５、及び、水平帰還搬送路１５６で構成されている。
【００５７】
上記のモノクロ画像記録装置２では、上述したカラー画像記録装置１と異なり、モノクロ画像形成ユニット６０には定着機能は含まれず、別に、定着ローラ６４と加圧ローラ６５とで構成される定着ユニット６３が独立して存在している。又、上記のモノクロ画像形成ユニット６０には、感光体ドラム６１と加圧ローラ６２とで構成される部分が備えられており、感光体ドラム６１の表面に形成されたモノクロ画像が、記録用紙Ｐに転写される。
【００５８】
又、上記のモノクロ画像記録装置２における記録用紙Ｐを収納用する記録用紙収納トレイ及び記録用紙Ｐを搬送する搬送路は、上述したカラー画像記録装置１の記録用紙収納トレイ及び搬送路と、その構成や配置が、全く同じである。従って、これらに関する説明を省略する。但し、モノクロ画像記録装置２の水平排出搬送路１５２は、カラー画像記録装置１とは異なり、水平排出搬送路１５２の前端部である記録媒体排出口１５７で、後述するバイパス搬送装置５の後端部に設けられている後部記録用紙受入口７０ａに接続され、バイパス搬送装置５を介して後述する最終処理装置３に接続される。尚、図７において、モノクロ画像記録装置２における記録用紙Ｐを収納用する記録用紙収納トレイや記録用紙Ｐを搬送する搬送路に関する部分は、百番台の番号で表示されており、これらの番号の下２桁の数字が、カラー画像記録装置１における該当部分の番号と同じである。
【００５９】
又、図３及び図４に示すように、キャビネット１００の後端面に設けられている観音開の後面扉１０１は、モノクロ画像記録装置２の第２垂直搬送路１５４と面している。この後面扉１０１を開けることにより、第２垂直搬送路１５４の後方に、第２垂直搬送路１５４が面する広い空間が形成され、この空間に第２垂直搬送路１５４を開放することができる。即ち、記録用紙Ｐの表裏を挟むようにしてこの記録用紙Ｐを搬送する第２垂直搬送路１５４の、記録用紙Ｐの表面が接する側と裏面が接する側とを分離し、上記の空間に面している側を上記の空間内に移動させて、記録用紙Ｐの表面が接する側と裏面が接する側とを離間させることができる。このため、第２垂直搬送路１５４で記録用紙Ｐのジャムが発生した場合に、ジャムした記録用紙Ｐを容易に取除くことができる。このように、後面扉１０１は、第２垂直搬送路１５４の保守作業に用いられる。
【００６０】
＜バイパス搬送装置＞
次に、バイパス搬送装置５について説明する。図８は、このバイパス搬送装置５の構成を示した構成である。図８において、このバイパス搬送装置５は、上述したように、側面視カタカナの「コ」字を９０度左に回転させたような形の筐体を有しており、カラー画像記録装置１の上部に、カラー画像記録装置１に覆い被さるように取付けられている。即ち、バイパス搬送装置５は、カラー画像記録装置１の上部を越えるように装着されている。
【００６１】
このバイパス搬送装置５は、図８から分かるように、このバイパス搬送装置５が取付けられるカラー画像記録装置１とは、別体の独立した装置であり、従って、後付で、カラー画像記録装置１に取付けることができる。又、このバイパス搬送装置５は、本実施の形態では、カラー画像記録装置１に取付けて使用するが、モノクロ画像記録装置２に取付けて使用することも可能である。このバイパス搬送装置５は、バイパス上昇搬送路７１、バイパス水平搬送路７２、バイパス下降搬送路７３、後主搬送路７４、及び、前主搬送路７５で構成されている。
【００６２】
この内、バイパス上昇搬送路７１は、後端部が水平な搬送路を形成し、後端部の後端には、後部記録用紙受入口７０ａが設けられている。このバイパス上昇搬送路７１は、後端部から途中部にかけて上方へ円弧状に曲がり、途中部は垂直な搬送路を形成しており、この途中部から前端部にかけて前方へ円弧状に曲がり、前端部は水平な搬送路を形成している。
【００６３】
又、バイパス水平搬送路７２は、水平な搬送路であり、その前端部は下方に向かって円弧状に曲がっている。又、バイパス下降搬送路７３は垂直な搬送路であり、その下端部は、前方に向かって円弧状に曲がっている。又、後主搬送路７４、及び、前主搬送路７５はいずれも水平な搬送路であり、後主搬送路７４の後端部には前部記録用紙受入口７０ｂが設けられており、前主搬送路７５の前端部には搬送装置記録用紙排出口７０ｃが設けられている。
【００６４】
上記のバイパス搬送装置５において、後主搬送路７４の前端部に前主搬送路７５の後端部が接続されており、この接続部が主搬送路合流途中部７６である。又、バイパス上昇搬送路７１の後端部に設けられた後部記録用紙受入口７０ａは、モノクロ画像記録装置２の水平排出搬送路１５２の前端部である記録媒体排出口１５７に接続されている。又、バイパス上昇搬送路７１の前端部は、バイパス水平搬送路７２の後端部に接続され、バイパス水平搬送路７２の前端部は、バイパス下降搬送路７３の上端部に接続されている。そして、バイパス下降搬送路７３の下端部は、後主搬送路７４と前主搬送路７５の接続部分である主搬送路合流途中部７６に合流して接続されている。又、後主搬送路７４の後端部は、カラー画像記録装置１の水平排出搬送路５２の前端部である記録媒体排出口５７に接続され、前主搬送路７５の前端部に設けられた搬送装置記録用紙排出口７０ｃは、後述する最終処理装置３の第１収容水平搬送路８１の後端部に接続されている。
【００６５】
又、上記のバイパス上昇搬送路７１、バイパス水平搬送路７２、バイパス下降搬送路７３、後主搬送路７４、及び、前主搬送路７５には、図示されていない駆動手段により駆動されるローラやガイド（図示されていない）が備えられている。
【００６６】
上述したバイパス搬送装置５は、カラー画像記録装置１の記録済みの記録用紙Ｐを最終処理装置３に搬送すると共に、モノクロ画像記録装置２の記録済みの記録用紙Ｐを最終処理装置３に搬送する機能を有している。
【００６７】
又、上記のバイパス搬送装置５の上方には、上部収容搬送路７８と上部収容トレイ７７とが備えられている。上部収容搬送路７８は、バイパス水平搬送路７２から分岐するようにして設けられており、バイパス水平搬送路７２により搬送されている記録用紙Ｐを、搬送路切替レバー７９の切替えにより受入れて搬送し、上部収容トレイ７７に収容するものである。上部収容トレイ７７は、モノクロ画像記録装置２で記録された記録用紙Ｐを、最終処理装置３まで搬送しないで、その途中で収容できるようにするために、モノクロ画像記録装置２専用の記録用紙収容トレイとして設けられている。この上部収容トレイ７７は、前述の記録媒体上部収容手段に相当する。
【００６８】
又、バイパス搬送装置５の筐体の上面部分と、バイパス搬送装置５のバイパス水平搬送路７２の一部及びバイパス下降搬送路７３の一部とは、一体で構成されてバイパス搬送路開放部５ａを形成している。このバイパス搬送路開放部５ａは、図９に示すように、このバイパス搬送路開放部５ａの前端部下端に設けられた支点５ｂを中心にして、上方に開閉可能である。そのため、バイパス水平搬送路７２やバイパス下降搬送路７３で生じた記録用紙Ｐのジャムに対する処置やメインテナンス等を容易に行うことができる。
【００６９】
又、バイパス搬送装置５の後端部の下方部分、即ち、バイパス上昇搬送路７１の下方部分には、カラー画像記録装置１の第２垂直搬送路５４とモノクロ画像記録装置２の第３垂直搬送路１５５とが共に面している第１保守空間１１１が形成されている。この第１保守空間１１１に面しているカラー画像記録装置１の第２垂直搬送路５４、及び、モノクロ画像記録装置２の第３垂直搬送路１５５では、記録用紙Ｐの表裏を挟むようにしてこの記録用紙Ｐを搬送する搬送路が、記録用紙Ｐの表面が接する側と裏面が接する側とで分離可能であり、それぞれの第１保守空間１１１に近い側を、第１保守空間１１１内に移動させて、記録用紙Ｐの表面が接する側と裏面が接する側とを離間させることができる。このため、カラー画像記録装置１の第２垂直搬送路５４やモノクロ画像記録装置２の第３垂直搬送路１５５で記録用紙Ｐのジャムが発生した場合に、ジャムした記録用紙Ｐを容易に取除くことができる等、これらの搬送路の保守作業等を容易にすることができる。
【００７０】
又、図３及び図４に示すように、キャビネット１００のバイパス搬送装置５の後端部の両側面側には、片開の側面後扉１０２が設けられている。この側面後扉１０２は、上記の第１保守空間１１１の両側面、及び、バイパス搬送装置５のバイパス上昇搬送路７１が収納されている空間の両側面の双方をカバーしている。そのため、この側面後扉１０２を開くことにより、カラー画像記録装置１の第２垂直搬送路５４やモノクロ画像記録装置２の第３垂直搬送路１５５、或いは、バイパス搬送装置５のバイパス上昇搬送路７１の保守作業等を容易にすることができる。このように、側面後扉１０２は、カラー画像記録装置１の第２垂直搬送路５４やモノクロ画像記録装置２の第３垂直搬送路１５５、或いは、バイパス搬送装置５のバイパス上昇搬送路７１の保守作業に用いられる。
【００７１】
図３は、側面後扉１０２を開けて、カラー画像記録装置１の第２垂直搬送路５４の第１保守空間１１１に近い側の搬送ローラ５４ｂを支持している搬送ローラ支持板５４ｃを、後方に移動させて、カラー画像記録装置１の第２垂直搬送路５を第１保守空間１１１に開放した状態を示している。尚、５４ａは搬送ローラ５４ｂと対抗して設置されている搬送ローラである。
【００７２】
又、図４は、同じく、側面後扉１０２を開けて、モノクロ画像記録装置２の第３垂直搬送路１５５の第１保守空間１１１に近い側の搬送ローラ１５５ａ，１５５ｂ，１５５ｃを支持している搬送ローラ支持板１５５ｄを、前方に移動させて、モノクロ画像記録装置２の第３垂直搬送路１５５を第１保守空間１１１に開放した状態を示している。
【００７３】
又、バイパス搬送路装置５の前端部の下方部分、即ち、後主搬送路７４、及び、前主搬送路７５の下方には、カラー画像記録装置１の第３垂直搬送路５５が面している第２保守空間１１２が形成されている。このカラー画像記録装置１の第３垂直搬送路５５では、カラー画像記録装置１の第２垂直搬送路５４やモノクロ画像記録装置２の第３垂直搬送路１５５と同様、記録用紙Ｐの表裏を挟むようにしてこの記録用紙Ｐを搬送する搬送路の記録用紙Ｐの表面が接する側と裏面が接する側とが分離可能であり、第２保守空間１１２に近い側を、第２保守空間１１２内に移動させて、記録用紙Ｐの表面が接する側と裏面が接する側とを離間させることができる。このため、このカラー画像記録装置１の第３垂直搬送路５５で記録用紙Ｐのジャムが発生した場合に、ジャムした記録用紙Ｐを容易に取除くことができる等、カラー画像記録装置１の第３垂直搬送路５５の保守作業等を容易にすることができる。
【００７４】
又、キャビネット１００のバイパス搬送路装置５の前端部の両側面側には、片開の側面前扉１０３が設けられている。この側面前扉１０３は、上記の第２保守空間１１２の両側面、及び、バイパス搬送路装置５の前端部が収納されている空間、即ち、バイパス下降搬送路７３、後主搬送路７４、及び、前主搬送路７５が収納されている空間の両側面の双方をカバーしている。そのため、この側面後扉１０２を開くことにより、カラー画像記録装置１の第３垂直搬送路５５や、バイパス搬送路装置５の前端部、即ち、バイパス下降搬送路７３、後主搬送路７４、及び、前主搬送路７５の保守作業等を容易にすることができる。このように、側面後扉１０２は、カラー画像記録装置１の第３垂直搬送路５５や、バイパス搬送路装置５の前端部の保守作業に用いられる。
【００７５】
＜最終処理装置＞
次に、最終処理装置３について説明する。最終処理装置３は、カラー画像記録装置１やモノクロ画像記録装置２により画像記録された記録用紙Ｐを収容する装置である。この収容に際しては、複数の記録用紙Ｐを搬送されてきた順に収容したり、収容した複数の記録用紙Ｐを綴じて製本したりする機能を備えている。
【００７６】
そのため、この最終処理装置３には、図２に示すように、第１収容水平搬送路８１、第２収容水平搬送路８２、第３収容搬送路８３、搬送路切替レバー８４、フィニッシ処理部８５、第１収容トレイ８６、及び、第２収容トレイ８７が備えられている。この内、第１収容水平搬送路８１、第２収容水平搬送路８２、及び、第３収容搬送路８３は、バイパス搬送装置５の前主搬送路７５から渡された記録用紙Ｐをフィニッシ処理部８５又は第２収容トレイ８７に搬送するのに用いられる。
【００７７】
第１収容水平搬送路８１の後端部には、バイパス搬送装置５の前主搬送路７５の前端部が接続され、第１収容水平搬送路８１の前端部は、第２収容水平搬送路８２の後端部及び第３収容搬送路８３の上端部に接続される。この接続部分には、搬送路切替レバー８４が設けられており、この搬送路切替レバー８４により、搬送距離が短い第１収容水平搬送路８１により搬送された記録用紙Ｐを、第２収容水平搬送路８２と第３収容搬送路８３のいずれに搬送するかが切り替えられる。第３収容搬送路８３は、上端部から下方に向かう垂直な搬送路を形成し、途中で略前方に向かって円弧状に曲がった後に水平な搬送路を形成している。上記の第１収容水平搬送路８１、第２収容水平搬送路８２、及び、第３収容搬送路８３には、図示されていない駆動手段により駆動されるローラやガイド（図示されていない）が備えられている。
【００７８】
第２収容水平搬送路８２の前端部の下方には、フィニッシ処理部８５が配設されている。このフィニッシ処理部８５は、第２収容水平搬送路８２により搬送されてきた記録用紙Ｐを順にストックし、綴じて製本等を行って第１収容トレイ８６に送り出す。又、第３収容搬送路８３により搬送された記録用紙Ｐは、搬送されてきた順に第２収容トレイ８７に収容される。上述したように、最終処理装置３は前述した共通収容手段に相当することから、前述した共通収容手段としては、製本可能な第１収容トレイ８６と、単に搬送されてきた順に収容する第２収容トレイ８７とが存在し、場合に応じて使い分けることができる。
【００７９】
＜第２画像記録システムの制御＞
次に、第２画像記録システムの制御について説明する。図１０は、本第２画像記録システムの制御部９１に関するブロック図である。図１０において、本第２画像記録システムの制御部９１には、カラー画像記録装置１、モノクロ画像記録装置２、最終処理装置３、カラー画像読取装置４、及び、バイパス搬送路装置５が制御ライン９２を介して接続されており、制御部９１は、これらの装置の動作制御を行う。
【００８０】
又、制御部９１には、モノクロ画像記録装置２に備えられている操作パネル９３、及び、Ｉ／ＦＣＵ（インターフェイス制御ユニット）９４が接続されている。又、制御部９１は、マイクロプロセッサやハードディスク、半導体メモリ等のハードウエアと、ＯＳや上記の各装置等を制御する各種制御プログラムとで構成されている。
【００８１】
上記の操作パネル９３は、第２画像記録システムの操作を行うオペレータによって操作される部分である。この操作パネル９３は、タッチパネルを用いた液晶表示器が用いられている。
【００８２】
又、Ｉ／ＦＣＵ（インターフェイス制御ユニット）９４は、本第２画像記録システムの外部に設置されたＬＡＮ９５に接続されており、このＬＡＮ９５を介して、ＬＡＮ９５に接続されたパソコン（ＰＣ）９６に接続されている。このパソコン９６から、本第２画像記録システムに送信された画像情報は、ＬＡＮ９５、及び、Ｉ／ＦＣＵ９４を介して制御部９１により受信される。
【００８３】
＜第２画像記録システムの動作＞
次に、第２画像記録システムの基本動作について説明する。この基本動作は、上記の第２画像記録システムに対する入力動作と出力動作に分けられる。入力動作は、カラー画像記録装置１やモノクロ画像記録装置２が行う画像記録に用いられる画像情報の入力に関するものであり、出力動作は、カラー画像記録装置１やモノクロ画像記録装置２により行われる画像記録に関するものである。
【００８４】
画像情報の入力動作としては、本第２画像記録システムの複写機能を実現するための入力動作としての、カラー画像読取装置４による画像情報の読取の場合と、本第２画像記録システムの印刷機能を実現するための入力動作としての、パソコン９６からの、ＬＡＮ９５、及び、Ｉ／ＦＣＵ９４を介した画像情報の受信の場合とに分けられる。
【００８５】
この内、カラー画像読取装置４による画像情報の読取は、画像情報が記録された紙等の原稿を、カラー画像読取装置４で読取ることにより行われる。原稿は、カラー画像情報のみ、又は、モノクロ画像情報のみ、或いは、両者のいずれの画像情報で構成されていてもよい。この場合、オペレータが操作パネル９３を操作して、複写させたい画像情報をカラー画像読取装置４に読取らせると共に、複写する記録用紙サイズや枚数を操作パネル９３から入力する。すると、カラー画像読取装置４で読取られた画像情報が、複写する記録用紙サイズや枚数の情報であるジョブ情報と共に、制御部９１に記憶される。
【００８６】
又、パソコン９６から送信される画像情報は、上述したように、ＬＡＮ９５、及び、Ｉ／ＦＣＵ９４を介して制御部９１により受信、記憶される。送信される画像情報は、カラー画像情報のみ、又は、モノクロ画像情報のみ、或いは、両者を含む画像情報のいずれであってもよい。又、画像情報と共に、印刷する記録用紙サイズや枚数の情報もパソコン９６から送信され、制御部９１により受信されて、ジョブ情報として制御部９１に記憶される。
【００８７】
本第２画像記録システムにおける出力動作である画像記録は、カラー画像記録装置１による画像記録と、モノクロ画像記録装置２による画像記録とに分けられる。カラー画像記録装置１による画像記録は、次のように行われる。
【００８８】
カラー画像記録装置１が、制御部９１から画像記録を指示されると、画像情報が制御部９１から画像形成ユニット１０Ｙ，１０Ｍ，１０Ｃ，１０ＢＫに送信される。すると、上記の画像情報に基づく画像が、画像形成ユニット１０Ｙ，１０Ｍ，１０Ｃ，１０ＢＫから中間転写ユニット２０を介して転写定着ユニット３０に転写される。又、制御部９１からの指示により、指示されたサイズの記録用紙Ｐが、収納されている記録用紙収納トレイから搬出されて、転写定着ユニット３０の転写定着ニップへ供給される。
【００８９】
この際、記録用紙Ｐが第１記録用紙収納トレイ４１に収納されている記録用紙Ｐであれば、第１搬出口路４１ａから搬出された記録用紙Ｐは、第１垂直搬送路５３により上方へ搬送され、更に水平供給搬送路５１の途中部から、この水平供給搬送路５１により前方へ搬送されて転写定着ユニット３０に供給される。又、記録用紙Ｐが、第２記録用紙収納トレイ４２、第３記録用紙収納トレイ４３、又は、第４記録用紙収納トレイ４４に収納されている記録用紙Ｐであれば、第２搬出口路４２ａ、第３搬出口路４３ａ、又は、第４搬出口路４４ａから搬出されて、第２垂直搬送路５４により上方へ搬送され、更に水平供給搬送路５１の後端部からこの水平供給搬送路５１により前方へ搬送されて転写定着ユニット３０に供給される。
【００９０】
転写定着ユニット３０に供給された記録用紙Ｐは、転写定着ユニット３０で転写された後、水平排出搬送路５２により転写定着ユニット３０から更に前方へ搬送されて、バイパス搬送路装置５の後主搬送路７４へ渡される。この後主搬送路７４へ渡された記録用紙Ｐは、前主搬送路７５により、水平に搬送されて最終処理装置３に渡される。
【００９１】
最終処理装置３に渡された記録用紙Ｐは、制御部９１から指定された処理が最終処理装置３により行われて、第１収容トレイ８６又は、第２収容トレイ８７へ収容される。
【００９２】
例えば、記録された順に記録用紙Ｐを揃えて綴じて製本する場合は、第１収容トレイ８６に収容される。即ち、バイパス搬送路装置５の前主搬送路７５から渡された記録用紙Ｐは、搬送距離が短い第１収容水平搬送路８１により前方に搬送される。この際、搬送路切替レバー８４の先端は下に下がっており、記録用紙Ｐは第２収容水平搬送路８２により搬送されて第２収容水平搬送路８２の前端から飛び出して、フィニッシ処理部８５にストックされる。このようにして、複数の所定ページ数の記録用紙Ｐが順にストックされた後、綴じられて製本され、第１収容トレイ８６に送り出されて第１収容トレイ８６に収容される。
【００９３】
或いは、単に記録された順に記録用紙Ｐを収容する場合は、第２収容トレイ８７に収容される。即ち、バイパス搬送路装置５の前主搬送路７５から渡された記録用紙Ｐは、第１収容水平搬送路８１により前方に搬送される。この場合は、搬送路切替レバー８４の先端が上に上がっており、記録用紙Ｐは第３収容搬送路８３により搬送されて第２収容トレイ８７に収容される。
【００９４】
尚、カラー画像記録装置１において、転写定着ユニット３０で一方の片面に記録された記録用紙Ｐに対して、他方の片面にも記録する場合は、第３垂直搬送路５５が水平排出搬送路５２から分岐する部分に設けられている搬送路切替レバー５８を、この搬送路切替レバー５８の先端が上に上がるように切り替える。そうすると、転写定着ユニット３０で転写された記録用紙Ｐは、水平排出搬送路５２により転写定着ユニット３０から前方へ搬送された際、搬送路切替レバー５８により第３垂直搬送路５５へ導入される。第３垂直搬送路５５へ導入された記録用紙Ｐは、第３垂直搬送路５５により下方に搬送されて一旦停止される。
【００９５】
この停止と同時に、水平帰還搬送路５６が第３垂直搬送路５５から分岐する部分に設けられている搬送路切替レバー５９を、この搬送路切替レバー５９の先端が前方に移動するように切り替える。その上で、記録用紙Ｐをそれまでとは逆に上方に搬送させると、搬送路切替レバー５９により水平帰還搬送路５６に導入され、この水平帰還搬送路５６により、後方へ向かって搬送され、更に、第１垂直搬送路５３及び水平供給搬送路５１により搬送されることで、表裏が反転した状態で記録用紙Ｐが転写定着ユニット３０へ供給される。その結果、記録用紙Ｐの両面に画像が記録される。
【００９６】
次に、モノクロ画像記録装置２による画像記録について説明する。モノクロ画像記録装置２が、制御部９１から画像記録を指示されると、制御部９１からモノクロ画像情報がモノクロ画像形成ユニット６０に送信される。そして、感光体ドラム６１の表面に形成されたモノクロ画像が、記録用紙Ｐに転写され、定着ユニット６３により定着される。又、制御部９１からの指示により、指示されたサイズの記録用紙Ｐが、収納されている記録用紙収納トレイから搬出されて、転写定着ユニット３０の転写定着ニップへ供給される。
【００９７】
尚、モノクロ画像記録装置２において、記録用紙Ｐを収納する記録用紙収納トレイ及び記録用紙Ｐを搬送する搬送路は、カラー画像記録装置１の記録用紙収納トレイ及び搬送路と、その構成や配設が、全く同じである。従って、記録用紙Ｐが収納されている記録用紙収納トレイから記録用紙Ｐが搬出されて、転写定着ユニット３０の転写定着ニップへ供給され、水平排出搬送路１５２により排出されるまでの記録用紙Ｐ動きは、カラー画像記録装置１と全く同じである。そこで、最終的に、水平排出搬送路１５２により搬送された上記の記録用紙Ｐは、水平排出搬送路１５２から、バイパス搬送装置５のバイパス上昇搬送路７１へ渡される。
【００９８】
すると、この記録用紙Ｐは、バイパス搬送装置５のバイパス上昇搬送路７１の後端部により前方へ水平に短い距離を搬送された後、バイパス上昇搬送路７１の途中部により下から上へ搬送され、更に、バイパス上昇搬送路７１の前端部により水平に短い距離を前方へ搬送されて、バイパス水平搬送路７２に渡される。
【００９９】
すると、この記録用紙Ｐは、バイパス水平搬送路７２により前方に向かって水平に搬送され、バイパス下降搬送路７３により下方に向かって垂直に搬送される。このバイパス下降搬送路７３により搬送された記録用紙Ｐは、前主搬送路７５により水平に搬送されて最終処理装置３に渡される。
【０１００】
最終処理装置３に渡された記録用紙Ｐは、制御部９１から指定された処理が最終処理装置３により行われて、上述したカラー画像記録装置１による画像記録の場合と同様に、第１収容トレイ８６又は、第２収容トレイ８７へ収容される。
【０１０１】
尚、モノクロ画像記録装置２で記録された記録用紙Ｐを、綴じて製本する必要のない場合は、基本的に、記録用紙Ｐを最終処理装置３へ収容せず、バイパス搬送路装置５の上方に備えられている上部収容トレイ７７に収容する。この場合は、バイパス水平搬送路７２により搬送されている記録用紙Ｐを、搬送路切替レバー７９の切替えにより受入れて搬送し、上部収容トレイ７７に収容する。
【０１０２】
又、記録用紙Ｐの両面に画像を記録する仕組みは、モノクロ画像記録装置２においてもカラー画像記録装置１と同様である。
【０１０３】
＜第１画像記録システムの構成＞
次に、本実施の形態における第１画像記録システムについて説明する。まず、本実施の形態における第１画像記録システムの構成について説明する。図１１は、本実施の形態における第１画像記録システム２００の構成を示した構成図である。図１１において、この第１画像記録システム２００は、２台のモノクロ画像記録装置２０１，２０２、２台のカラー画像記録装置２０３，２０４、３台のバイパス搬送装置２０５，２０６，２０７、最終処理装置２０８、及び、カラー画像読取装置２０９で構成される。
【０１０４】
この内、２台のモノクロ画像記録装置２０１，２０２は、上述した第２画像記録システムで使用されているモノクロ画像記録装置２と構成が全く同じである。又、２台のカラー画像記録装置２０３，２０４も、上述した第２画像記録システムで使用されているカラー画像記録装置１と構成が全く同じである。
【０１０５】
ただ、これらの各画像記録装置間では、像記録装置の処理能力である処理速度に違いがあり、モノクロ画像記録装置の方が、カラー画像読取装置よりも処理速度の速いものが使用されている。又、モノクロ画像記録装置間では、モノクロ画像記録装置２０１の方が、モノクロ画像記録装置２０２よりも処理速度の速いものが、カラー画像記録装置間では、カラー画像記録装置２０３の方が、カラー画像記録装置２０４よりも処理速度の速いものが使用されている。
【０１０６】
又、モノクロ画像記録装置２０１，２０２や、カラー画像記録装置２０３，２０４と同様に、最終処理装置２０８も、上述した第２画像記録システムで使用されている最終処理装置３と構成が全く同じであり、カラー画像読取装置２０９も、上述したカラー画像読取装置４と構成が全く同じである。
【０１０７】
又、３台のバイパス搬送装置２０５，２０６，２０７も、上述した第２画像記録システムで使用されているバイパス搬送装置５と構成が全く同じである。この３台のバイパス搬送装置２０５，２０６，２０７は、それぞれ、モノクロ画像記録装置２０２、カラー画像記録装置２０３、及び、カラー画像記録装置２０４に装着されている。又、この３台のバイパス搬送装置２０５，２０６，２０７には、それぞれ、上述したバイパス搬送装置５に備えられている上部収容トレイ７７と同様の、上部収容トレイ２０５ａ，２０６ａ，２０７ａが備えられている。
【０１０８】
上記の第１画像記録システム２００は、前方(図１１の左側)から後方(図１１の右側)にかけて一列に、最終処理装置２０８を先頭にして、バイパス搬送装置２０７を装着したカラー画像記録装置２０４、バイパス搬送装置２０６を装着したカラー画像記録装置２０３、バイパス搬送装置２０５を装着したモノクロ画像記録装置２０２、及び、カラー画像読取装置２０９を装着したモノクロ画像記録装置２０１が直列に結合されている。
【０１０９】
尚、上述した第２画像記録システムも、本発明の画像記録システムの対象となり得るが、本発明の画像記録システムを、より具体的に詳しく説明するために、上記の第１画像記録システム２００を用いて説明を行うものである。
【０１１０】
＜第１画像記録システムの制御＞
次に、本実施の形態における第１画像記録システム２００の制御について説明する。図１２は、上記の第１画像記録システム２００の制御部２１０に関するブロック図である。図１２において、上記の第１画像記録システム２００では、モノクロ画像記録装置２０１，２０２、カラー画像記録装置２０３，２０４、バイパス搬送装置２０５，２０６，２０７、最終処理装置２０８、及び、カラー画像読取装置２０９が、制御ライン２１３を介して制御部２１０に接続されている。この制御部２１０は、マイクロプロセッサやハードディスク、半導体メモリ等のハードウエアと、ＯＳや上記の各装置等を制御する各種制御プログラムとで構成されている。
【０１１１】
又、制御部２１０には、操作パネル２１１、及び、Ｉ／ＦＣＵ（インターフェイス制御ユニット）２１２が接続されている。操作パネル２１１は、モノクロ画像記録装置２０１に備えられており、この操作パネル２１１には、タッチパネルを用いた液晶表示器が用いられている。この操作パネル２１１は、第１画像記録システム２００の操作者によって操作され、カラー画像読取装置２０９により画像情報が読取られる。この読取られた画像情報が、制御ライン２１３を介して制御部２１０に送られる。
【０１１２】
又、Ｉ／ＦＣＵ２１２は、第１画像記録システム２００の外部に設置されたＬＡＮ９５に接続されており、このＬＡＮ９５を介して、ＬＡＮ９５に接続されたパソコン（ＰＣ）９６に接続されている。このＬＡＮ９５に接続されたパソコン９６から、本第１画像記録システム２００に送信された画像情報が、ＬＡＮ９５、及び、Ｉ／ＦＣＵ９４を介して制御部２１０に送られる。
【０１１３】
上記のカラー画像読取装置２０９により読取られた画像情報、及び、パソコン９６から送信された画像情報は、制御部２１０に備えられているハードディスクや半導体メモリ等のメモリに記憶される。又、本実施の形態における第１画像記録システム２００では、制御部２１０が、カラー画像読取装置２０９により読取られた画像情報を受取ることと、パソコン９６から送信された画像情報を受取ることとを、特に区別せず、共に、画像記録要請として扱う。
【０１１４】
又、通常、これらの画像記録要請を受けた場合は、画像記録装置で記録用紙に記録する画像情報のほか、記録用紙サイズや枚数等、画像記録の関連情報も同時に受ける。しかし、本実施の形態における第１画像記録システム２００では、制御部２１０が受取った画像記録要請が、カラー画像記録であるか、モノクロ画像記録であるかの画像記録種別だけに注目して、説明を行っている。この画像記録要請に付随する関連情報である画像記録種別を、処理条件と称する。
【０１１５】
そこで、制御部２１０では、画像記録要請を受ける毎に、画像記録要請を受けたときに受取った画像情報と処理条件である画像記録種別とを制御部２１０に備えるメモリに記憶する。そして、処理条件等に基づき、モノクロ画像記録装置２０１，２０２、又は、カラー画像記録装置２０３，２０４のいずれかに画像記録指示を行う。画像記録が終了して画像情報と画像記録種別とが不要になると、これらを削除する。
【０１１６】
又、制御部２１０では、制御部２１０に備えるメモリに、モノクロ画像記録装置２０１，２０２、及び、カラー画像記録装置２０３，２０４の全ての画像記録装置について、それぞれの画像記録装置の処理機能としての画像記録種別、処理能力としての処理速度、及び、画像記録装置の動作状態を表す動作状態フラグで構成される装置情報を保持している。図１３は、この装置情報を表した装置情報テーブルである。尚、上記の画像記録種別は、前述の「装置性能情報を構成している処理機能情報」に相当し、処理速度は、「装置性能情報を構成している処理能力情報」に相当し、動作状態フラグは、前述の「装置状態情報」に相当する。又、「処理機能情報」に相当する画像記録種別と「処理能力情報」に相当する処理速度とは、合わせて、前述の「装置性能情報」に相当する。
【０１１７】
図１３において、Ｍ１は、モノクロ画像記録装置２０１、Ｍ２は、モノクロ画像記録装置２０２、Ｍ３は、カラー画像記録装置２０３、そして、Ｍ４は、カラー画像記録装置２０４を表す。又、画像記録種別において、Ｂは、モノクロ画像記録、Ｃは、カラー画像記録を表す。又、処理速度には、具体的な数値が保持されている。又、動作状態フラグにおいて、「１」(図１３には表示されていない)は、画像記録装置が画像記録処理を行っている状態、即ち、動作中を表し、「０」は、画像記録処理の可能な状態で待機中である状態を表している。
【０１１８】
＜第１画像記録システムの動作＞
次に、本実施の形態における第１画像記録システム２００の動作について説明する。上記の第１画像記録システム２００では、上述したように、制御部２１０が画像記録要請を受けると、この画像記録要請に伴う処理条件等に基づき、モノクロ画像記録装置２０１，２０２、又は、カラー画像記録装置２０３，２０４のいずれかに画像記録指示を行う。この画像記録指示を受けた画像記録装置は、画像記録処理を行うが、この画像記録指示を受けたモノクロ画像記録装置２０１，２０２、又は、カラー画像記録装置２０３，２０４、或いは、関連するバイパス搬送装置２０５，２０６，２０７や、最終処理装置２０８の個々の動作については、上述した第２画像記録システムに使用されているモノクロ画像記録装置２や、カラー画像記録装置１、或いは、バイパス搬送装置５や、最終処理装置３と同じであるので、説明を省略する。
【０１１９】
但し、モノクロ画像記録装置２０１，２０２、又は、カラー画像記録装置２０３，２０４が、制御部２１０から画像記録指示を受けで画像記録処理を開始すると、制御部２１０は、この制御部２１０のメモリに記録されている装置情報テーブルの当該画像記録装置の動作状態フラグを「１」とし、当該画像記録装置が画像記録処理を終了すると、動作状態フラグを「０」とする。即ち、動作状態フラグが「０」であると、上述したように、当該画像記録装置は画像記録処理の可能な状態で待機中であるので、制御部２１０は、装置情報テーブルの動作状態フラグをチェックすることにより、待機中の画像記録装置を見つけることができる。
【０１２０】
又、上記の第１画像記録システム２００では、上述したように、バイパス搬送装置２０５，２０６，２０７には、それぞれ、上部収容トレイ２０５ａ，２０６ａ，２０７ａが備えられている。そこで、この第１画像記録システム２００では、各画像記録装置で記録されて排出される記録済みの記録用紙の収容先は、制御部２１０により、次のように制御されている。
【０１２１】
即ち、モノクロ画像記録装置２０１から排出された記録済みの記録用紙は、モノクロ画像記録装置２０２に装着されているバイパス搬送装置２０５の上部収容トレイ２０５ａに収容される。モノクロ画像記録装置２０２から排出された記録済みの記録用紙は、カラー画像記録装置２０３に装着されているバイパス搬送装置２０６の上部収容トレイ２０６ａに収容される。カラー画像記録装置２０３から排出された記録済みの記録用紙は、カラー画像記録装置２０４に装着されているバイパス搬送装置２０７の上部収容トレイ２０７ａに収容される。そして、カラー画像記録装置２０４から排出された記録済みの記録用紙は、最終処理装置２０８の第２収容トレイ２０８ａに収容される。即ち、各画像記録装置で記録されて排出される記録済みの記録用紙は、異なる収容トレイに、それぞれ混在されることなく収容される。
【０１２２】
本実施の形態における第１画像記録システム２００では、制御部２１０が画像記録要請を受けてから、処理条件等に基づいて画像記録装置に画像記録指示をするまでの間の判断過程に特徴を有している。そこで、この判断過程を中心にして、上記の第１画像記録システム２００の動作について説明する。
【０１２３】
図１４、図１５は、上記の第１画像記録システム２００の動作を示したフローチャートである。図１４、図１５において、第１画像記録システム２００の制御部２１０は、まず、画像記録要請の有無をチェックし(Ｓ１)、画像記録要請があると(Ｓ２)、この画像記録要請に伴う処理条件である画像記録種別がモノクロ画像記録であるか否かをチェックする(Ｓ３)。
【０１２４】
Ｓ３の画像記録種別がモノクロ画像記録であるか否かのチェックで、画像記録種別がモノクロ画像記録であれば(Ｓ４)、制御部２１０のメモリに記録されている装置情報テーブルの動作状態フラグをチェックして、動作状態フラグが「０」であるモノクロ画像記録装置、即ち、画像記録処理の可能な状態で待機中のモノクロ画像記録装置の有無をチェックする(Ｓ５)。
【０１２５】
Ｓ５における待機中のモノクロ画像記録装置の有無のチェックで、待機中のモノクロ画像記録装置が存在しない場合は(Ｓ６)、同様にして、画像記録処理の可能な状態で待機中のカラー画像記録装置の有無をチェックし(Ｓ７)、存在しない場合は(Ｓ８)、Ｓ５に戻って、Ｓ５以降の処理を繰返す。即ち、待機中のモノクロ画像記録装置も待機中のカラー画像記録装置も存在しない場合は、いずれかの画像記録装置が現れるのを待つことになる。
【０１２６】
Ｓ７で、画像記録処理の可能な状態で待機中のカラー画像記録装置の有無をチェックするのは、次の理由による。即ち、カラー画像記録装置は、モノクロのみの画像記録も行うことができるので、モノクロ画像記録装置が全て動作中の場合に、待機中のカラー画像記録装置があれば、この待機中のカラー画像記録装置にモノクロ画像記録を行わせることにより、第１画像記録システムの処理効率の向上を図ることができるからである。
【０１２７】
Ｓ５における待機中のモノクロ画像記録装置の有無のチェックで、待機中のモノクロ画像記録装置が存在すると(Ｓ６)、待機中のモノクロ画像記録装置が複数台であるか否かをチェックし(Ｓ９)、複数台でなければ、即ち、待機中のモノクロ画像記録装置が１台であれば(Ｓ１０)、この待機中のモノクロ画像記録装置に画像記録指示を行う(Ｓ１１)。
【０１２８】
この場合、画像記録指示がなされた以外のモノクロ画像記録装置は、動作中であるので、画像記録指示がなされたモノクロ画像記録装置は、既に動作中のモノクロ画像記録装置と、並行処理されることになる。又、このとき、カラー画像記録装置が動作中であれば、画像記録指示がなされたモノクロ画像記録装置は、このカラー画像記録装置とも、並行処理されることになる。Ｓ１１におけるモノクロ画像記録装置に対する画像記録指示が終了すると、Ｓ１に戻り、Ｓ１以降の処理を繰り返す。
【０１２９】
Ｓ９における待機中のモノクロ画像記録装置が複数台であるか否かのチェックで、待機中のモノクロ画像記録装置が複数台であると(Ｓ１０)、制御部２１０のメモリに記録されている装置情報テーブルの処理速度をチェックして、待機中の複数のモノクロ画像記録装置の中から、処理速度の最も速いモノクロ画像記録装置を選択し(Ｓ１２)、この選択したモノクロ画像記録装置に画像記録指示を行う(Ｓ１３)。
【０１３０】
このとき、カラー画像記録装置が動作中であれば、画像記録指示がなされたモノクロ画像記録装置は、このカラー画像記録装置と、並行処理されることになる。Ｓ１３におけるモノクロ画像記録装置に対する画像記録指示が終了すると、Ｓ１に戻り、Ｓ１以降の処理を繰り返す。
【０１３１】
上述したＳ３における画像記録種別がモノクロ画像記録であるか否かのチェックで、画像記録種別がモノクロ画像記録でなければ、即ち、画像記録種別がカラー画像記録であれば(Ｓ４)、制御部２１０のメモリに記録されている装置情報テーブルの動作状態フラグをチェックして、動作状態フラグが「０」であるカラー画像記録装置、即ち、画像記録処理の可能な状態で待機中のカラー画像記録装置の有無をチェックする(Ｓ１４)。
【０１３２】
Ｓ１４における待機中のカラー画像記録装置の有無のチェックで、待機中のカラー画像記録装置が存在しない場合は(Ｓ１５)、Ｓ１４に戻って待機中となるカラー画像記録装置が現れるのを待つ。
【０１３３】
Ｓ１４における待機中のカラー画像記録装置の有無のチェックで、待機中のカラー画像記録装置が存在すると(Ｓ１５)、待機中のカラー画像記録装置が複数台であるか否かをチェックし(Ｓ１６)、複数台でなければ、即ち、待機中のカラー画像記録装置が１台であれば(Ｓ１７)、この待機中のカラー画像記録装置に画像記録指示を行う(Ｓ１８)。
【０１３４】
この場合、画像記録指示がなされた以外のカラー画像記録装置は、動作中であるので、画像記録指示がなされたカラー画像記録装置は、既に動作中のカラー画像記録装置と、並行処理されることになる。Ｓ１８におけるカラー画像記録装置に対する画像記録指示が終了すると、Ｓ１に戻り、Ｓ１以降の処理を繰り返す。
【０１３５】
Ｓ１６における待機中のカラー画像記録装置が複数台であるか否かのチェックで、待機中のカラー画像記録装置が複数台であると(Ｓ１７)、制御部２１０のメモリに記録されている装置情報テーブルの処理速度をチェックして、待機中の複数のカラー画像記録装置の中から、処理速度の最も速いカラー画像記録装置を選択し(Ｓ１９)、この選択したカラー画像記録装置に画像記録指示を行う(Ｓ２０)。
【０１３６】
このとき、モノクロ画像記録装置が動作中であれば、画像記録指示がなされたカラー画像記録装置は、このモノクロ画像記録装置と、並行処理されることになる。Ｓ２０におけるカラー画像記録装置に対する画像記録指示が終了すると、Ｓ１に戻り、Ｓ１以降の処理を繰り返す。
【０１３７】
上述したＳ５における待機中のモノクロ画像記録装置の有無のチェックで、待機中のモノクロ画像記録装置が存在しない場合に(Ｓ６)、Ｓ７で待機中のカラー画像記録装置の有無をチェックし、待機中のカラー画像記録装置が存在する場合は(Ｓ８)、Ｓ１６に進んで、上述したＳ１６以降の処理を行う。
【０１３８】
これは、上述したように、カラー画像記録装置は、モノクロのみの画像記録も行うことができるので、モノクロ画像記録装置が全て動作中の場合に、待機中のカラー画像記録装置があれば、この待機中のカラー画像記録装置にモノクロ画像記録を行わせることにより、第１画像記録システムの処理効率の向上を図るためである。
【０１３９】
次に、上述した第１画像記録システム２００の動作について、具体的に、下記のケース１〜ケース９に基づいて説明する。これらのケース１〜ケース９では、第１画像記録システム２００の制御部２１０のメモリに記録されている上述した装置情報テーブルを示している図１６〜図２４、及び、上述の図１３を用いる。尚、上述したように、カラー画像記録装置は、モノクロのみの画像記録も行うことができるので、図１６〜図２４の装置情報テーブルでは、カラー画像記録装置２０３(Ｍ３)、及び、画像記録装置２０４(Ｍ４)の場合のみ、動作状態フラグが「１」の場合に、カラー、モノクロのいずれの画像記録処理で動作中であるかを区別している。
【０１４０】
即ち、図１６〜図２４の装置情報テーブルにおいて、カラー画像記録装置２０３(Ｍ３)、及び、画像記録装置２０４(Ｍ４)の場合のみ、動作状態フラグが「１(Ｃ)」は、カラー画像記録処理による動作中であることを表し、動作状態フラグが「１(Ｂ)」は、モノクロ画像記録処理による動作中であることを表している。
【０１４１】
まず、ケース１について、図１３の状態、即ち、モノクロ画像記録装置２０１(Ｍ１)、モノクロ画像記録装置２０２(Ｍ２)、カラー画像記録装置２０３(Ｍ３)、そして、画像記録装置２０４(Ｍ４)の全ての画像記録装置が待機中である場合に、制御部２１０が画像記録要請を受け、処理条件である画像記録種別がモノクロ画像記録である場合は、次のようになる。
【０１４２】
即ち、待機中のモノクロ画像記録装置が２台あり、モノクロ画像記録装置２０１(Ｍ１)の方がモノクロ画像記録装置２０２(Ｍ２)よりも処理速度が速いので、モノクロ画像記録装置２０１(Ｍ１)に画像記録指示がされ、画像記録指示後の装置情報テーブルは、図１６のようになる。即ち、モノクロ画像記録装置２０１(Ｍ１)のみが動作中で、他のモノクロ画像記録装置２０２(Ｍ２)、カラー画像記録装置２０３(Ｍ３)、及び、カラー画像記録装置２０４(Ｍ４)が待機中となる。
【０１４３】
次に、ケース２について、上記の図１６の状態、即ち、モノクロ画像記録装置２０１(Ｍ１)のみが動作中で、他のモノクロ画像記録装置２０２(Ｍ２)、カラー画像記録装置２０３(Ｍ３)、及び、画像記録装置２０４(Ｍ４)が待機中である場合に、制御部２１０が画像記録要請を受け、処理条件である画像記録種別がモノクロ画像記録である場合は、次のようになる。
【０１４４】
即ち、待機中のモノクロ画像記録装置はモノクロ画像記録装置２０２(Ｍ２)が１台のみであるので、このモノクロ画像記録装置２０２(Ｍ２)に画像記録指示がされ、画像記録指示後の装置情報テーブルは、図１７のようになる。即ち、モノクロ画像記録装置２０１(Ｍ１)、及び、モノクロ画像記録装置２０２(Ｍ２)が動作中で、カラー画像記録装置２０３(Ｍ３)、及び、カラー画像記録装置２０４(Ｍ４)が待機中となる。この場合、モノクロ画像記録装置２０１(Ｍ１)、及び、モノクロ画像記録装置２０２(Ｍ２)は、並行処理される。
【０１４５】
次に、ケース３について、上記の図１７の状態、即ち、モノクロ画像記録装置２０１(Ｍ１)、及び、モノクロ画像記録装置２０２(Ｍ２)が動作中で、カラー画像記録装置２０３(Ｍ３)、及び、画像記録装置２０４(Ｍ４)が待機中である場合に、制御部２１０が画像記録要請を受け、処理条件である画像記録種別がモノクロ画像記録である場合は、次のようになる。
【０１４６】
即ち、待機中の画像記録装置は、カラー画像記録装置しかないが、カラー画像記録装置はモノクロ画像記録をすることができる。そこで、待機中のカラー画像記録装置が２台あるが、カラー画像記録装置２０３(Ｍ３)の方がカラー画像記録装置２０４(Ｍ４)よりも処理速度が速いので、カラー画像記録装置２０３(Ｍ３)に画像記録指示がされ、画像記録指示後の装置情報テーブルは、図１８のようになる。即ち、モノクロ画像記録装置２０１(Ｍ１)、モノクロ画像記録装置２０２(Ｍ２)、及び、カラー画像記録装置２０３(Ｍ３)が動作中で、カラー画像記録装置２０４(Ｍ４)が待機中となる。この場合、モノクロ画像記録装置２０１(Ｍ１)、モノクロ画像記録装置２０２(Ｍ２)、及び、カラー画像記録装置２０３(Ｍ３)は、並行処理される。
【０１４７】
次に、ケース４について、上記の図１８の状態、即ち、モノクロ画像記録装置２０１(Ｍ１)、モノクロ画像記録装置２０２(Ｍ２)、及び、カラー画像記録装置２０３(Ｍ３)が動作中で、画像記録装置２０４(Ｍ４)が待機中である場合に、制御部２１０が画像記録要請を受け、処理条件である画像記録種別がモノクロ画像記録である場合は、次のようになる。
【０１４８】
即ち、待機中の画像記録装置は、カラー画像記録装置しかないが、カラー画像記録装置はモノクロ画像記録をすることができる。そこで、待機中のカラー画像記録装置は、カラー画像記録装置２０４(Ｍ４)が１台のみであることから、このカラー画像記録装置２０４(Ｍ４)に画像記録指示がされ、画像記録指示後の装置情報テーブルは、図１９のようになる。即ち、モノクロ画像記録装置２０１(Ｍ１)、モノクロ画像記録装置２０２(Ｍ２)、カラー画像記録装置２０３(Ｍ３)、及び、カラー画像記録装置２０４(Ｍ４)が全て動作中となる。この場合、全ての画像記録装置は、並行処理される。
【０１４９】
次に、ケース５について、上記の図１３の状態、即ち、モノクロ画像記録装置２０１(Ｍ１)、モノクロ画像記録装置２０２(Ｍ２)、カラー画像記録装置２０３(Ｍ３)、及び、画像記録装置２０４(Ｍ４)の全ての画像記録装置が待機中である場合に、制御部２１０が画像記録要請を受け、処理条件である画像記録種別がカラー画像記録である場合は、次のようになる。
【０１５０】
即ち、待機中のカラー画像記録装置が２台あり、カラー画像記録装置２０３(Ｍ３)の方がカラー画像記録装置２０４(Ｍ４)よりも処理速度が速いので、カラー画像記録装置２０３(Ｍ３)に画像記録指示がされ、画像記録指示後の装置情報テーブルは、図２０のようになる。即ち、カラー画像記録装置２０３(Ｍ３)のみが動作中で、他のモノクロ画像記録装置２０１(Ｍ１)、モノクロ画像記録装置２０２(Ｍ２)、及び、カラー画像記録装置２０４(Ｍ４)が待機中となる。
【０１５１】
次に、ケース６について、上記の図２０の状態、即ち、カラー画像記録装置２０３(Ｍ３)のみが動作中で、他のモノクロ画像記録装置２０１(Ｍ１)、モノクロ画像記録装置２０２(Ｍ２)、及び、カラー画像記録装置２０４(Ｍ４)が待機中である場合に、制御部２１０が画像記録要請を受け、処理条件である画像記録種別がカラー画像記録である場合は、次のようになる。
【０１５２】
即ち、待機中のカラー画像記録装置はカラー画像記録装置２０４(Ｍ４)が１台のみであるので、このカラー画像記録装置２０４(Ｍ４)に画像記録指示がされ、画像記録指示後の装置情報テーブルは、図２１のようになる。即ち、カラー画像記録装置２０３(Ｍ３)、及び、カラー画像記録装置２０４(Ｍ４)が動作中で、モノクロ画像記録装置２０１(Ｍ１)、及び、モノクロ画像記録装置２０２(Ｍ２)が待機中となる。この場合、カラー画像記録装置２０３(Ｍ３)、及び、カラー画像記録装置２０４(Ｍ４)は、並行処理される。
【０１５３】
次に、ケース７について、上記の図１６の状態、即ち、モノクロ画像記録装置２０１(Ｍ１)のみが動作中で、他のモノクロ画像記録装置２０２(Ｍ２)、カラー画像記録装置２０３(Ｍ３)、及び、画像記録装置２０４(Ｍ４)が待機中である場合に、制御部２１０が画像記録要請を受け、処理条件である画像記録種別がカラー画像記録である場合は、次のようになる。
【０１５４】
即ち、待機中のカラー画像記録装置が２台あり、カラー画像記録装置２０３(Ｍ３)の方がカラー画像記録装置２０４(Ｍ４)よりも処理速度が速いので、カラー画像記録装置２０３(Ｍ３)に画像記録指示がされ、画像記録指示後の装置情報テーブルは、図２２のようになる。即ち、モノクロ画像記録装置２０１(Ｍ１)、及び、カラー画像記録装置２０３(Ｍ３)が動作中で、モノクロ画像記録装置２０２(Ｍ２)、及び、カラー画像記録装置２０４(Ｍ４)が待機中となる。この場合、モノクロ画像記録装置２０１(Ｍ１)、及び、カラー画像記録装置２０３(Ｍ３)は、並行処理される。
【０１５５】
次に、ケース８について、上記の図２１の状態、即ち、カラー画像記録装置２０３(Ｍ３)、及び、カラー画像記録装置２０４(Ｍ４)が動作中で、モノクロ画像記録装置２０１(Ｍ１)、及び、モノクロ画像記録装置２０２(Ｍ２)が待機中である場合に、制御部２１０が画像記録要請を受け、処理条件である画像記録種別がモノクロ画像記録である場合は、次のようになる。
【０１５６】
即ち、待機中のモノクロ画像記録装置が２台あり、モノクロ画像記録装置２０１(Ｍ１)の方がモノクロ画像記録装置２０２(Ｍ２)よりも処理速度が速いので、モノクロ画像記録装置２０１(Ｍ１)に画像記録指示がされ、画像記録指示後の装置情報テーブルは、図２３のようになる。即ち、モノクロ画像記録装置２０１(Ｍ１)、カラー画像記録装置２０３(Ｍ３)、及び、カラー画像記録装置２０４(Ｍ４)が動作中で、モノクロ画像記録装置２０２(Ｍ２)が待機中となる。この場合、モノクロ画像記録装置２０１(Ｍ１)、カラー画像記録装置２０３(Ｍ３)、及び、カラー画像記録装置２０４(Ｍ４)は、並行処理される。
【０１５７】
最後に、ケース９について、上記の図２３の状態、即ち、モノクロ画像記録装置２０１(Ｍ１)、カラー画像記録装置２０３(Ｍ３)、及び、カラー画像記録装置２０４(Ｍ４)が動作中で、モノクロ画像記録装置２０２(Ｍ２)が待機中である場合に、制御部２１０が画像記録要請を受け、処理条件である画像記録種別がモノクロ画像記録である場合は、次のようになる。
【０１５８】
即ち、待機中のモノクロ画像記録装置はモノクロ画像記録装置２０２(Ｍ２)が１台のみであるので、モノクロ画像記録装置２０２(Ｍ２)に画像記録指示がされ、画像記録指示後の装置情報テーブルは、図２４のようになる。即ち、モノクロ画像記録装置２０１(Ｍ１)、モノクロ画像記録装置２０２(Ｍ２)、カラー画像記録装置２０３(Ｍ３)、及び、カラー画像記録装置２０４(Ｍ４)が全て動作中となる。この場合、全ての画像記録装置は、並行処理される。
【０１５９】
＜第１画像記録システムの効果等＞
上記の本実施の形態における第１画像記録システム２００によれば、この第１画像記録システム２００を構成する複数の画像記録装置を用いて、複数の画像記録処理を並行処理することができる。従って、トータル的に処理速度を向上することができ、処理効率を向上することができる。又、複数の画像記録装置として、２台のモノクロ画像記録装置と２台のカラー画像記録装置という異なる種類の複数の画像記録装置を用いることにより、コストパフォーマンスを向上することができる。
【０１６０】
又、モノクロ画像記録装置２０１から排出された記録済みの記録用紙は、上部収容トレイ２０５ａに収容され、モノクロ画像記録装置２０２から排出された記録済みの記録用紙は、上部収容トレイ２０６ａに収容され、カラー画像記録装置２０３から排出された記録済みの記録用紙は、上部収容トレイ２０７ａに収容され、そして、カラー画像記録装置２０４から排出された記録済みの記録用紙は、最終処理装置２０８の第２収容トレイ２０８ａに収容される。そこで、各画像記録装置で記録されて排出される記録済みの記録用紙は、異なる収容トレイに、それぞれ混在されることなく収容することができ、画像記録ジョブ間で記録媒体が混在することを防止することができる。
【０１６１】
又、制御部２１０に備えるメモリに、モノクロ画像記録装置２０１，２０２、及び、カラー画像記録装置２０３，２０４の全ての画像記録装置に対する処理機能としての画像記録種別、処理能力としての処理速度、及び、画像記録装置の動作状態を表す動作状態フラグで構成される装置情報を保持している。又、第１画像記録システム２００が受ける画像記録要請には処理条件である画像記録種別が付随されている。そこで、これらの情報を用いることにより、待機中の画像記録装置の中から、処理条件を満足する画像記録装置を選んで画像記録処理をすることができる。従って、第１画像記録システムが受けた画像記録要請に対して、当該第１画像記録システムにおける最適な画像記録処理を行うことができる。
【０１６２】
又、装置情報として、各画像記録装置の処理速度を備えているので、待機中の画像記録装置の中から、処理速度が最も速い画像記録装置を選んで画像記録処理をすることができる。従って、第１画像記録システムが受けた画像記録要請に対して、当該第１画像記録システムにおける処理速度が最も速い画像記録処理を行うことができ、処理効率を向上することができる。
【０１６３】
上記の本実施の形態における第１画像記録システム２００では、図１１に示すように、３台のバイパス搬送装置２０５，２０６，２０７を、それぞれ、モノクロ画像記録装置２０２、カラー画像記録装置２０３、及び、カラー画像記録装置２０４に装着していると共に、この３台のバイパス搬送装置２０５，２０６，２０７には、それぞれ、上部収容トレイ２０５ａ，２０６ａ，２０７ａを備えた構成である。
【０１６４】
しかし、上記の本実施の形態における第１画像記録システム２００としては、このような構成には限られず、図２５に示すような構成とするようにしてもよい。即ち、図２５に示すように、３台のバイパス搬送装置２０５，２０６，２０７として、上部収容トレイが備えられていないバイパス搬送装置を用いると共に、最終処理装置２０８に代えて、第１収容トレイ２１８ａ、第２収容トレイ２１８ｂ、第３収容トレイ２１８ｃ、及び、第４収容トレイ２１８ｄを備えた最終処理装置２１８を用いるようにするのである。
【０１６５】
そして、この場合に、モノクロ画像記録装置２０１から排出された記録済みの記録用紙は、最終処理装置２１８の第１収容トレイ２１８ａに収容され、モノクロ画像記録装置２０２から排出された記録済みの記録用紙は、第２収容トレイ２１８ｂに収容され、カラー画像記録装置２０３から排出された記録済みの記録用紙は、第３収容トレイ２１８ｃに収容され、そして、カラー画像記録装置２０４から排出された記録済みの記録用紙は、第４収容トレイ２１８ｄに収容されるようにする。このようにすることにより、各画像記録装置で記録されて排出される記録済みの記録用紙は、異なる収容トレイに、それぞれ混在されることなく収容することができ、画像記録ジョブ間で記録媒体が混在することを防止することができる。
【０１６６】
又、上記の本実施の形態における第１画像記録システム２００は、複写機と印刷装置の有する機能を全て備えた複合システムであるが、この複合システムに、電話回線との接続インターフェイス及びＦＡＸ制御機能を備えることにより、ＦＡＸ機能をも備えた複合システムとすることができる。
【図面の簡単な説明】
【０１６７】
【図１】本発明の画像記録システムの構成を示したブロック図である。
【図２】本実施の形態における第２画像記録システムのカラー画像記録装置の構成を示した構成図である。
【図３】本実施の形態における第２画像記録システムの斜視図(その１)である。
【図４】本実施の形態における第２画像記録システムの斜視図(その２)である。
【図５】本実施の形態における第２画像記録システムのカラー画像記録装置の構成を示した構成図である。
【図６】本実施の形態における第２画像記録システムのカラー画像記録装置に使用される新たな方式のタンデム式の構成図である。
【図７】本実施の形態における第２画像記録システムのモノクロ画像記録装置の構成を示した構成図である。
【図８】本実施の形態における第２画像記録システムのバイパス搬送装置の構成を示した構成図である。
【図９】本実施の形態における第２画像記録システムのバイパス搬送装置の開放の動きを示した説明図である。
【図１０】本実施の形態における第２画像記録システムの制御部に関するブロック図である。
【図１１】本実施の形態における第１画像記録システムの構成を示した構成図である。
【図１２】本実施の形態における第１画像記録システムの制御部に関するブロック図である。
【図１３】本実施の形態における第１画像記録システムの装置情報を表した装置情報テーブルである。
【図１４】本実施の形態における第１画像記録システムの動作を示したフローチャート(その１)である。
【図１５】本実施の形態における第１画像記録システムの動作を示したフローチャート(その２)である。
【図１６】本実施の形態における第１画像記録システムのケース１における画像記録指示後の装置情報テーブルである。
【図１７】本実施の形態における第１画像記録システムのケース２における画像記録指示後の装置情報テーブルである。
【図１８】本実施の形態における第１画像記録システムのケース３における画像記録指示後の装置情報テーブルである。
【図１９】本実施の形態における第１画像記録システムのケース４における画像記録指示後の装置情報テーブルである。
【図２０】本実施の形態における第１画像記録システムのケース５における画像記録指示後の装置情報テーブルである。
【図２１】本実施の形態における第１画像記録システムのケース６における画像記録指示後の装置情報テーブルである。
【図２２】本実施の形態における第１画像記録システムのケース７における画像記録指示後の装置情報テーブルである。
【図２３】本実施の形態における第１画像記録システムのケース８における画像記録指示後の装置情報テーブルである。
【図２４】本実施の形態における第１画像記録システムのケース９における画像記録指示後の装置情報テーブルである。
【図２５】本実施の形態における第１画像記録システムの他の例の構成を示した構成図である。
【符号の説明】
【０１６８】
１  カラー画像記録装置
２  モノクロ画像記録装置
３  最終処理装置
４  カラー画像読取装置
５  バイパス搬送装置
５ａ  上面扉
５ｂ  支点
１０ＢＫ  画像形成ユニット
１０Ｃ  画像形成ユニット
１０Ｍ  画像形成ユニット
１０Ｙ  画像形成ユニット
１１  感光体ドラム
１２  帯電ローラ
１３  レーザー光照射手段
１４  現像器
１６  クリーナー
２０  中間転写ユニット
２１  中間転写ベルト
２２  中間転写ベルト駆動ローラ
２３  中間転写ベルトテンションローラ
２４  １次転写ローラ
２５  中間転写ベルトクリーニングユニット
２６  ２次転写バックアップローラ
３０  転写定着ユニット
３１  転写定着ローラ
３２  加圧ローラ
３３  圧熱ローラ
３４  温度検知部材
３５  温度検知部材
３６  加熱ランプ
３７  加熱ランプ
４１  第１記録用紙収納トレイ
４１ａ  第１搬出口路
４２  第２記録用紙収納トレイ
４２ａ  第２搬出口路
４３  第３記録用紙収納トレイ
４３ａ  第３搬出口路
４４  第４記録用紙収納トレイ
４４ａ  第４搬出口路
５１  水平供給搬送路
５２  水平排出搬送路
５３  第１垂直搬送路
５４  第２垂直搬送路
５４ａ  搬送ローラ
５４ｂ  搬送ローラ
５４ｃ  搬送ローラ支持板
５５  第３垂直搬送路
５６  水平帰還搬送路
５７  記録媒体排出口
５８  搬送路切替レバー
５９  搬送路切替レバー
６０  モノクロ画像形成ユニット
６１  感光体ドラム
６２  加圧ローラ
６３  定着ユニット
６４  定着ローラ
６５  加圧ローラ
７０ａ  後部記録用紙受入口
７０ｂ  前部記録用紙受入口
７０ｃ  搬送装置記録用紙排出口
７１  バイパス上昇搬送路
７２  バイパス水平搬送路
７３  バイパス下降搬送路
７４  後主搬送路
７５  前主搬送路
７６  主搬送路合流途中部
７７  上部収容トレイ
７８  上部収容搬送路
７９  搬送路切替レバー
８１  第１収容水平搬送路
８２  第２収容水平搬送路
８３  第３収容搬送路
８４  搬送路切替レバー
８５  フィニッシ処理部
８６  第１収容トレイ
８７  第２収容トレイ
９１  制御部
９２  制御ライン
９３  操作パネル
９４  Ｉ／ＦＣＵ
９５  ＬＡＮ
９６  パソコン
１００  キャビネット
１０１  後面扉
１０２  側面後扉
１０３  側面前扉
１１１  第１保守空間
１１２  第２保守空間
１４１  第１記録用紙収納トレイ
１４１ａ  第１搬出口路
１４２  第２記録用紙収納トレイ
１４２ａ  第２搬出口路
１４３  第３記録用紙収納トレイ
１４３ａ  第３搬出口路
１４４  第４記録用紙収納トレイ
１４４ａ  第４搬出口路
１５１  水平供給搬送路
１５２  水平排出搬送路
１５３  第１垂直搬送路
１５４  第２垂直搬送路
１５５  第３垂直搬送路
１５５ａ  搬送ローラ
１５５ｂ  搬送ローラ
１５５ｃ  搬送ローラ
１５５ｄ  搬送ローラ支持板
１５６  水平帰還搬送路
１５７  記録媒体排出口
１５８  搬送路切替レバー
１５９  搬送路切替レバー
２００  第１画像記録システム
２０１  モノクロ画像記録装置
２０２  モノクロ画像記録装置
２０３  カラー画像記録装置
２０４  カラー画像記録装置
２０５  バイパス搬送装置
２０５ａ  上部収容トレイ
２０６  バイパス搬送装置
２０６ａ  上部収容トレイ
２０７  バイパス搬送装置
２０７ａ  上部収容トレイ
２０８  最終処理装置
２０８ａ  第２収容トレイ
２０８ｂ  第１収容トレイ
２０９  カラー画像読取装置
２１０  制御部
２１１  操作パネル
２１２  Ｉ／ＦＣＵ
２１３  制御ライン
２１８  最終処理装置
２１８ａ  第１収容トレイ
２１８ｂ  第２収容トレイ
２１８ｃ  第３収容トレイ
２１８ｄ  第４収容トレイ
３０１  画像記録装置
３０２  記録媒体共通収容手段
３０３  装置情報保持手段
３０４  画像記録指示手段
Ｐ  記録用紙
Ｔ  トナー
【図１】
2008090241.tif 000003
【図２】
2008090241.tif 000004
【図３】
2008090241.tif 000005
【図４】
2008090241.tif 000006
【図５】
2008090241.tif 000007
【図６】
2008090241.tif 000008
【図７】
2008090241.tif 000009
【図８】
2008090241.tif 000010
【図９】
2008090241.tif 000011
【図１０】
2008090241.tif 000012
【図１１】
2008090241.tif 000013
【図１２】
2008090241.tif 000014
【図１３】
2008090241.tif 000015
【図１４】
2008090241.tif 000016
【図１５】
2008090241.tif 000017
【図１６】
2008090241.tif 000018
【図１７】
2008090241.tif 000019
【図１８】
2008090241.tif 000020
【図１９】
2008090241.tif 000021
【図２０】
2008090241.tif 000022
【図２１】
2008090241.tif 000023
【図２２】
2008090241.tif 000024
【図２３】
2008090241.tif 000025
【図２４】
2008090241.tif 000026
【図２５】
2008090241.tif 000027